(57)【要約】【課題】ユーザが不要と考える部分を削除し、違和感を覚えない連続した画像を再生する編集方法及び編集装置を提供する。【解決手段】編集開始の編集点と、編集終了の編集点を入力させ（Ｓ１）、開始の編集点より前に存在し、かつ、開始の編集点の再生時間に最も近い再生時間を持つリファレンスピクチャーを上書き開始位置とする（Ｓ２）。上書き開始位置と開始の編集点の間に存在するピクチャーの中で最先に再生されるピクチャーを上書き用ピクチャーとする（Ｓ３）。そして、上書き開始位置から終了の編集点が存在するＶＯＢＵまでの全ピクチャーを上書き用ピクチャーと同じ画像に置き換える。【選択図】      図６
2005020529.tif 000002
【特許請求の範囲】
【請求項１】
ＭＰＥＧプログラムストリームとして記録された映像データの編集方法において、
前記映像データの編集を開始する編集開始点と、編集を終了する編集終了点を受信するステップと、
前記編集開始点より前に存在し、かつ、前記編集開始点に最も近いリファレンスピクチャーを上書き開始位置とするステップと、
前記上書き開始位置と前記編集開始点の間に存在するピクチャーの中で最先に再生されるピクチャーを上書き用ピクチャーとするステップと、
前記上書き開始位置から前記編集終了点が存在するビデオオブジェクトユニットまでの全ピクチャーを前記上書き用ピクチャーと同じ画像が再生される画像に置き換えるステップとを
具備することを特徴とする編集方法。
【請求項２】
ＭＰＥＧプログラムストリームとして記録された映像データを編集する編集装置において、
前記映像データの編集を開始する編集開始点と、編集を終了する編集終了点を入力する手段と、
前記編集開始点より前に存在し、かつ、前記編集開始点に最も近いリファレンスピクチャーを上書き開始位置と決定する上書き開始位置決定手段と、
前記上書き開始位置と前記編集開始点の間に存在するピクチャーの中で最先に再生されるピクチャーを上書き用ピクチャーとする上書き用ピクチャー決定手段と、
前記上書き開始位置から前記編集終了点が存在するデオオブジェクトユニットまでの全ピクチャーを前記上書き用ピクチャーと同じ画像が再生される画像に置き換える手段とを
備えたことを特徴とする編集装置。
【請求項３】
前記上書き用ピクチャー決定手段は、前期上書き用ピクチャーの直前に再生される画像を上書き用ピクチャーとすることを特徴とした請求項２に記載の編集装置。
【請求項４】
前記上書き用ピクチャー決定手段は、単一色を上書き用ピクチャーとすることを特徴とした請求項２に記載の編集装置。
【請求項５】
前記上書き用ピクチャー決定手段は、前記ＭＰＥＧ規格に準拠したデータの中から任意の画像を上書き用ピクチャーとして選択する手段を備えたことを特徴とした請求項２に記載の編集装置。
【発明の詳細な説明】
【０００１】
【発明の属する技術分野】
この発明は、編集方法及び編集装置に関し、特にＭＰＥＧ規格のプログラムストリームの編集を行う編集方法及び編集装置に関する。
【０００２】
【従来の技術】
近年、映像や音声等のデータを記録した光ディスクを再生する動画対応の光ディスク再生装置が各種開発されている。現在では更に、国際規格化したＭＰＥＧ２（Ｍｏｖｉｎｇ  Ｐｉｃｔｕｒｅ  Ｅｘｐｅｒｔｓ  Ｇｒｏｕｐ  ２）方式を使用するとともに、ＡＣ３オーディオ圧縮方式を採用したＤＶＤ規格が定められた。このＤＶＤ規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。
【０００３】
また、メディア自身の規格としては、ＤＶＤ−ビデオのメディアであるＤＶＤ−ＲＯＭの規格に続き、ＤＶＤ−ＲＡＭの規格（４．７ＧＢ）も完成し、ＤＶＤ−ＲＡＭドライブもコンピュータ周辺機器として普及し始めている。
【０００４】
さらに、現在ではＤＶＤ−ＲＡＭを利用し、リアルタイムでの情報記録再生が可能なシステムを実現するＤＶＤビデオ規格、つまりＤＶＤ−ＶＲ（ＤＶＤ−Ｖｉｄｅｏ  Ｒｅｃｏｒｄｉｎｇ）−ＤＶＤの規格も整備され、この規格を準拠する製品も市場に出ている。
【０００５】
上記ＭＰＥＧ２方式で圧縮された映像データを含むデータ列、すなわちＭＰＥＧプログラムストリームの編集は、通常ビデオオブジェクトユニット（ＶＯＢＵ）単位で行われることが多い。
【０００６】
即ち、ＤＶＤ−ＶＲ規格にて記録済みのプログラムストリームに対して、ストリームの後部を削除するような編集や、ストリームの一部を取り出すような編集、ＤＶＤ−ＶＲ規格データの一部を取り出してＤＶＤ−Ｖｉｄｅｏ規格のデータへ変換するような編集は多くの場合、ＶＯＢＵ単位で行われる。これはＶＯＢＵ単位の編集は、データの細かな修正が不要だからである（例えば、特許文献１参照）。
【０００７】
【特許文献１】
特開２０００−６９４１３公報（第１−５項、図１，図２）
【０００８】
【発明が解決しようとする課題】
上記のように、従来ＭＰＥＧプログラムストリームの編集は、ＶＯＢＵ単位で行われることが多かった。
しかし、１つのＶＯＢＵは通常、表示時間にして約０．５秒であり、ユーザの意図した編集点と多少の誤差が生じてしまうことがある。即ち、ユーザが不要と考え、削除を希望した開始の点及び終了の点が、ちょうど、ＶＯＢＵ単位の区切りであれば不都合はないものの、ＶＯＢＵの途中を削除したい場合は不都合が生じる。これはＶＯＢＵ毎に編集を行えば、必要である部分の画像が削られてしまったり、逆に不要である部分の画像が残ってしまったりするからである。
【０００９】
ここで、実際の使われ方を想定すると、必要である部分を削るよりは、多少ではあるものの不要な部分を残す編集方法を選択することが多いと考えられる。
しかし、このような不要な画像を残しておくことは、視覚で捕らえられる限り違和感を覚えてしまう。これは、通常、残してしまった部分は、番組と番組の間にあるＣＭ（広告）等の映像であることが多く、これを編集後に再生した場合、たとえコンマ数秒の時間であっても、人間の視覚で捕らえられる限り、違和感を覚える部分となる。
【００１０】
即ち、たとえコンマ数秒でも、上記不要な部分の前に再生されていた画像とは、全く異なる画像が再生されるため、逆にコンマ数秒である為に、完全に削除されていないと感じでしまう部分になってしまう。
【００１１】
そこで、本発明では、ユーザが不要と考える部分を違和感を覚えない上書き用データに置き換え、上記コンマ数秒の違和感のあるＣＭ等の画像を完全に無くし、違和感を覚えない連続した画像を再生する編集方法及び編集装置を提供することを目的とする。
【００１２】
【課題を解決するための手段】
上記目的を達成するために、本発明は、ＭＰＥＧプログラムストリームとして記録された映像データの編集方法において、編集を開始する第１の編集点と、編集を終了する第２の編集点を入力するステップと、前記第１の編集点より前に存在し、かつ、前記第１の編集点の再生時間に最も近い再生時間を持つリファレンスピクチャーを上書き開始位置とするステップと、前記上書き開始位置と前記第１の編集点の間に存在するピクチャーの中で最先に再生されるピクチャーを上書き用ピクチャーとするステップと、前記上書き開始位置から前記第２の編集点が存在するＶＯＢＵまでの全ピクチャーを前記上書き用ピクチャーと同じ画像が再生される画像に置き換えるステップとを具備することを特徴とする。
【００１３】
【発明の実施の形態】
以下、図面を参照しながら本発明の実施の形態について説明する。
図１は本発明の実施の形態に係る編集装置の構成を示すブロック図である。この編集装置１は、光ディスク１０と、ハードディスクドライブ（ＨＤＤ）２０と、ディスクドライブ３５と、データプロセッサ３６と、エンコーダ部５０と、デコーダ部６０と、マイクロコンピュータブロック３０とを主たる構成要素としている。
【００１４】
次に、各要素の構成を説明する。
ディスクドライブ３５は、ビデオファイルの情報記録媒体である光ディスク１０を回転駆動し、この光ディスク１０に対して情報の読み書きを実行する。
エンコーダ部５０は光ディスク１０の録画側を構成する。即ち、エンコーダ部５０は、ＡＤＣ（アナログデジタルコンバータ）５２と、Ｖ（ビデオ）エンコーダと、Ａ（オーディオ）エンコーダと、ＳＰ（副映像）エンコーダを含むエンコーダ郡５３と、エンコーダ郡５３からの各エンコーダの出力を所定のフォーマットにするフォーマッタ５６と、バッファメモリ５７とを備えている。
【００１５】
ここで、ＡＤＣ５２には、Ａ／Ｖ入力部４２からの外部アナログビデオ信号＋外部アナログオーディオ信号、あるいはＴＶ（テレビジョン）チューナ４４からのアナログＴＶ信号＋アナログ音声信号が入力される。
【００１６】
マイクロコンピュータブロック３０は、編集装置１の全体の動作を制御する。即ち、マイクロコンピュータブロック３０は、ＭＰＵ（マイクロプロセシングユニット）と、制御プログラム等が書き込まれたＲＯＭと、プログラム実行に必要なワークエリアを提供するためのＲＡＭとを含んでいる。また、マイクロコンピュータブロック３０はＨＤＤ２０、ディスクドライブ３５、データプロセッサ３６、エンコーダ部５０、デコーダ部６０等と接続されている。
【００１７】
そして、マイクロコンピュータブロック３０のＭＰＵは、そのＲＯＭに格納された制御プログラムに従い、ＲＡＭをワークエリアとして用いて、編集、欠陥場所検出、未記録領域検出、録画情報記録位置設定、ＵＤＦ記録、ＡＶアドレス設定等を実行する。
【００１８】
データプロセッサ３６は、マイクロコンピュータブロック３０の制御に従って、エンコーダ部５０のフォーマッタ５６から出力されたＤＶＤ記録データを受信して、ディスクドライブ３５やＨＤＤ２０、一時記憶部３７に供給する。また、光ディスク１０から再生したＤＶＤ再生信号をディスクドライブ３５から取り込みデコーダ部６０へ出力したり、光ディスク１０に記録された管理情報を書き替えたり、光ディスク１０に記録されたデータの削除を行ったりする。
【００１９】
デコーダ部６０は、光ディスク１０の再生側を構成する。即ち、デコーダ部６０は、光ディスク１０から読み出されたパック構造を持つ映像情報から各パックを分離して取り出すセパレータ６２と、パック分離やその他の信号処理実行時に使用するメモリ６３と、セパレータ６２で分離された主映像データをデコードするＶデコーダと、セパレータ６２で分離された副映像データをデコードするＳＰデコーダと、セパレータ６２で分離されたオーディオデータをデコードするＡデコーダを含むデコーダ群６４と、Ｖデコーダから得られる主映像データにＳＰデコーダから得られる副映像データを適宜合成し、主映像にメニュー、字幕その他の副映像を重ねて出力するビデオプロセッサ６６を備えている。
【００２０】
このビデオプロセッサ６６からの合成された映像データ、ＡＤＣ５２からの外部アナログビデオ信号、およびビデオプロセッサ６６から出力されたデータは、ビデオミクサー７１に入力され、ここを介してＤＡＣ（Ｄ／Ａコンバータ）７４やＩ／Ｆ（インターフェース）７３を介して外部へ出力される。
【００２１】
ここで、デコーダ群６４からのＡデコーダの出力をデジタル出力する場合は、Ｉ／Ｆ（インターフェース）７５を介して外部へ出力され、アナログ出力する場合は、セレクタ７６を介してＤＡＣ（Ｄ／Ａコンバータ）７７でアナログ変換され外部に出力される。セレクタ７６は、マイクロコンピュータブロック３０からのセレクト信号により、ＴＶチューナ４４又はＡ／Ｖ入力部４２からＡＤＣ５２を介して入力される信号と、デコーダ群６４から入力されるＡデコーダの出力信号の一方を選択して出力する。アナログオーディオ信号は、図示しない外部コンポーネント（２チャンネル〜６チャンネルのマルチチャンネルステレオ装置）に供給される。
【００２２】
ＳＴＣ（Ｓｙｓｔｅｍ  Ｔｉｍｅ  Ｃｏｕｎｔｅｒ）３８はデータ記録モード、データ再生モードにおいて、記録や再生の基準となるタイムスタンプのデータを作成している。
【００２３】
キー入力部１１は、再生（ＰＬＡＹ）、停止（ＳＴＯＰ）、録画（ＲＥＣ）、スキップ（Ｓｋｉｐ）、早送り（ＦＦ）、逆送り（Ｒｅｗ）、スロー（Ｓｌｏｗ）エンターキー等のボタンを有し、このボタンを押下することによりユーザは編集装置１を操作し、ＨＤＤ２０又は書き換え可能な光ディスク１０に対して録画、再生及び録画された映像データを編集できる。
【００２４】
また、マイクロコンピュータブロック３０には表示部４８が接続されており、ここで再生時間などを確認することが出来る。
図２は、図１に示した編集装置１に適用される光ディスク１０の一例として、ＤＶＤのＶＲフォーマットのビデオ及びオーディオファイルのディレクトリ構造について示している。
【００２５】
ＤＶＤでは、規格毎にディレクトリが存在し、ＤＶＤ−ＶＲでは、これらのディレクトリ名を、「ＤＶＤ＿ＲＴＡＶ」とし、同様に、ＤＶＤ−Ａｕｄｉｏでは、「ＡＵＤＩＯ＿ＴＳ」、そして、ＤＶＤ−Ｖｉｄｅｏでは、「ＶＩＤＥＯ＿ＴＳ」としている。図２はＤＶＤ−ＶＲのフォーマットであるから、「ＤＶＤ＿ＲＴＡＶ」を示している。
【００２６】
図２において、記録データは各ディレクトリ内に存在する。また、ＤＶＤでは、データはファイルの形式で保存される。タイトルは、例えば映画の１本分に相当し、１枚のディスクにこのタイトルが複数記録可能である。
【００２７】
ディレクトリ「ＤＶＤ＿ＲＴＡＶ」内には、ビデオマネジャー（ＶＭＧ）ファイルとしてのＶＲ＿ＭＡＮＧＲ．ＩＦＯ，ムービービデオファイルとしてのＶＲ＿ＭＯＶＩＥ．ＶＲＯ，スチルピクチャービデオファイルとしてのＶＲ＿ＳＴＩＬＬ．ＶＲＯ，スチルピクチャーオーディオビデオファイルとしてのＶＲ＿ＡＵＤＩＯ．ＶＲＯ，ビデオマネジャーのバックアップとしてのＶＲ＿ＭＡＮＧＲ．ＢＵＰの各ファイルが存在する。
【００２８】
ＶＲ＿ＭＡＮＧＲ．ＩＦＯファイルには、光ディスク１０を管理する管理情報が記録されるもので、この管理情報は、プログラム，エントリーポイント，プレイリストなどを進行させるためのデータである。
【００２９】
ＶＲ＿ＭＯＶＩＥ．ＶＲＯファイルは、ムービービデオオブジェクト（ムービーＶＯＢ）を記録するためのいわゆるムービーＡＶファイルである。
ＶＲ＿ＳＴＩＬＬ．ＶＲＯは、スチルピクチャーＶＯＢを記録するためのスチルピクチャーＡＶファイルである。このＶＲ＿ＳＴＩＬＬ．ＶＲＯは、任意のサブピクチャーユニットを含むビデオパートで構成されるオリジナルＶＯＢを記録するために用いられる。またこのとき、ビデオパートに関連したオーディオパートもオリジナルのスチルピクチャーＶＯＢに含まる。
【００３０】
ＶＲ＿ＡＵＤＩＯ．ＶＲＯは、スチルピクチャーに対する付加オーディオストリームを記録するためのスチルピクチャー付加オーディオビデオファイルである。この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。
【００３１】
図３は、上記ムービービデオファイルとしてのＶＲ＿ＭＯＶＩＥ．ＶＲＯ及びスチルピクチャービデオファイルとしてのＶＲ＿ＳＴＩＬＬ．ＶＲＯのファイル構造を示している。
【００３２】
ビデオファイルは階層構造であり、１つのファイルは複数のＶＯＢ（ビデオオブジェクト）で構成され、１つのＶＯＢは複数のＶＯＢＵ（ビデオオブジェクトユニット）で構成され、１つのＶＯＢＵは複数パックから構成される。複数のパックとしては、ＲＤＩパック，Ｖパック（ビデオパック），ＳＰパック（副映像パック），Ａパック（オーディオパック）が存在する。なお、ＳＰパック（副映像パック），Ａパック（オーディオパック）を含まない場合もある。
【００３３】
Ｖパックは、ビデオデータがＭＰＥＧ２方式で圧縮されたもので、パックヘッダ、パケットヘッダ、ビデオデータ部で構成される。Ａパックは、オーディオデータが、例えばリニアＰＣＭ、あるいはＭＰＥＧ、あるいはＡＣ３などの方式で処理されたものであり、パックヘッダ、パケットヘッダ、オーディオデータ部で構成される。また、ＳＰパックには、副映像データが記録される。
【００３４】
パケットヘッダには、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００３５】
１つのビデオオブジェクトユニット（ＶＯＢＵ）の再生時間は、通常、ビデオオブジェクトユニット中に含まれる１以上の映像グループ（グループオブピクチャーＧＯＰ）で構成されるビデオデータの再生時間となる。通常、１ＧＯＰはＭＰＥＧ２規格では約０．５秒であって、その間に１５枚程度のフレーム画像を再生するように圧縮された映像データが格納される。
【００３６】
図４は、グループオブピクチャーＧＯＰを示す図である。ＭＰＥＧ２データストリームは、このグループオブピクチャーＧＯＰの単位でエンコードが行われる。グループオブピクチャーＧＯＰ内には、図４に示すようにイントラ符号化画面（Ｉピクチャー）と、インター符号化画面（Ｐピクチャー、Ｂピクチャー）とが含まれる。
【００３７】
上記Ｉピクチャーはそれ自体単独でデコードが可能であるのに対して、Ｐピクチャーは記録順で１つ前にあるリファレンスピクチャー（Ｉピクチャー、またはＰピクチャー）のデコード結果を参照してデコードされ、また、Ｂピクチャーは記録順で１つ前及び２つ前にあるリファレンスピクチャー（Ｉピクチャー）のデコード結果を参照してデコードされる。
【００３８】
図５（ａ）はピクチャーの構成と編集点を示す図である。例えば、図５（ａ）において、Ｉ２はＩピクチャーであり、この図において３番目に再生されるピクチャーである。又、Ｂ０はＢピクチャーであって、この図において最初に再生されるピクチャーである。図５（ａ）では矢印の元のピクチャーが矢印の先のピクチャーのデコード結果を参照してデコードされる。例えば、Ｂ０、Ｂ１，Ｐ５のピクチャーはＩ２ピクチャーのデコード結果を参照してデコードされる。また、Ｂ３、Ｂ４ピクチャーはＰ５ピクチャーとＩ２ピクチャーのデコード結果を参照してデコードされる。また、Ｐ８ピクチャーはＰ５ピクチャーのデコード結果を参照してデコードされる。また、Ｂ６、Ｂ７ピクチャーはＰ８ピクチャーとＰ５ピクチャーのデコード結果を参照してデコードされる。
【００３９】
この参照関係のため、記録順と再生順は必ずしも一致するとは限らない。Ｂピクチャーが参照する２つ前のリファレンスピクチャーは、そのＢピクチャーより再生順で前になるが、１つ前のリファレンスピクチャーはそのＢピクチャーより再生順が後になる。
【００４０】
リファレンスピクチャーへの参照は必ず記録順で前になるピクチャーへの参照となるので、記録済みのストリームの任意のピクチャー単位で後部を削除したとしても、残されたピクチャーの中でリファレンスピクチャーを失うようなピクチャーは発生しない。
【００４１】
しかし、記録順が再生順とはならないため、再生において欠如するピクチャーが発生する可能性はある。例えば、図５（ａ）の編集点Ｘ０以降のピクチャーを削除し、別のストリームを編集点Ｘ０につなげた場合、この図で再生されるピクチャーはＢ０、Ｂ１、Ｉ２、Ｂ３、Ｐ５となる。従って、Ｂ４のピクチャーが再生されず、不自然な再生映像となる。
【００４２】
以上を考慮すると、あるピクチャーより後ろのデータを削除したとしても、その前にある全てのピクチャーが再生順と記録順で影響を受けないようなピクチャーは、リファレンスピクチャー（Ｉピクチャー又はＰピクチャー）の直前にあるピクチャーとなる。従って、本発明ではリファレンスピクチャーの直前までのピクチャーを残し、後のデータを編集する。つまり、この編集はリファレンスピクチャー単位（３フレーム単位）で行われる。
【００４３】
一方、オーディオデータについては、アクセスユニット単位での編集が可能である。これは、アクセスユニット単位で再生順と記録順が必ず等しくなるからである。以下、オーディオデータについてもビデオデータに対応するデータで編集が行われるものとする。
【００４４】
以下、本発明に係るＶＲフォーマットデータの編集方法について、図１乃至図７を用いて説明する。
図６は、本発明の実施の形態に係る編集方法を示すフローチャートである。また、図７はストリームデータの変換の前後を示す図である。
まず、ユーザによるキー入力部１１からのＲＥＣ（録画）キー入力に対応して、編集装置１において録画処理が行われる。即ち、マイクロコンピュータブロック３０がエンコーダ部５０，データプロセッサ３６，ディスクドライブ３５に指示を与えることにより処理が開始され、ＴＶチューナ４４からのアナログＴＶ信号＋アナログ音声信号若しくはＡ／Ｖ入力部４２からの外部アナログビデオ信号＋外部アナログオーディオ信号が直接又はＡＤＣ５２を介してエンコーダ群５３に入力され、エンコードされる。その出力に基づきフォーマッタ５６がＶＲフォーマットを生成し、その出力を受信したデータプロセッサ３６がＶＲフォーマットでＨＤＤ２０に記録する（ステップＳ０）。これにより、図７（ａ）に示すストリームがＨＤＤ２０に記録される。
【００４５】
次に、マイクロコンピュータブロック３０は、キー入力部１１を通じて、ユーザから上記ＨＤＤ２０に記録されたＶＲフォーマットのストリームに対する編集要求があったか否かをチェックする（ステップＳ１）。即ち、編集を開始するための編集点と、編集を終了するための編集点の入力があったかどうかをチェックする。
【００４６】
ここで、ユーザによる編集指定は、例えば、ＨＤＤ２０から読み出した上記ストリームデータをデコーダ部６０によりデコードし、音声データはＤＡＣ７５、画像データはビデオミクサー７１、ＤＡＣ７４を介して図示せぬ表示装置に出力させ、出力された映像を駒送りして１フレーム（画像）を選択することにより編集点の開始点と終了点の入力を行う。また、ユーザによってキー入力部１１を操作して、編集装置１に対して直接、編集点が映像プログラム開始から３６分２４秒２というように編集開始時間と編集終了時間を入力して指定するものであっても良い。
【００４７】
その結果、ユーザからの編集要求がなかった場合は（ステップＳ１のＮｏ）、そのまま編集することなく、後述するステップＳ５に進む。一方、ユーザからの編集要求があった場合には（ステップＳ１のＹｅｓ）、以下の処理を行う。
【００４８】
まず、上書きを開始する位置を決定する（ステップＳ２）。即ち、図１に示した編集装置１のマイクロコンピュータブロック３０は、ステップＳ１の編集要求時において入力された開始の編集点よりも前に存在し、かつ、最も近い再生時間を持つリファレンスピクチャー（Ｉピクチャー又はＰピクチャー）を上書き開始位置として決定する（ステップＳ２）。
【００４９】
ここで、上述した通り、この上書き開始位置以降を書き換えても、その前に存在するピクチャーにはなんら影響は出ず、連続した画像及び音声が再生できる。従って、編集対象位置は、このステップＳ２で決定された上書き開始位置以降となる。
【００５０】
以上の動作を、図７を用いて説明する。図７（ａ）において、ＨＤＤ２０に記録されたストリームデータのＶＯＢＵ＿３にあるＸ０点からＶＯＢＵ＿５にあるＸ１点までが、例えばＣＭ等の不要データであるとする。
【００５１】
従って、図５（ａ）に示されているグループオブピクチャー（ＧＯＰ）が図７（ａ）のＶＯＢＵ＿３であるとすると、上書き開始位置は開始の編集点Ｘ０よりも前に存在し、かつ、これに最も近い再生時間を持つリファレンスピクチャーであるＰ５となる。従って、Ｐ５から編集対象が始まり、図７（ａ）のＶＯＢＵ＿５の最後のフレームまでが編集対象のピクチャーとなる。
【００５２】
尚、編集点が、時間で指定された場合でも同様に、編集装置１は指定された時間よりも前に存在し、かつその再生時間に最も近いリファレンスピクチャー（Ｉ又はＰピクチャー）を、上書き開始位置として準備する。
【００５３】
次に、マイクロコンピュータブロック３０は、新たな画像として書き換える上書き用ピクチャーを決定する（ステップＳ３）。これは、上書き開始位置から編集点Ｘ０において、最初に再生される画像を上書きピクチャーとして決定する（オーディオの場合は、アクセスユニットを決定する）。
【００５４】
即ち、図５で言えば、上書き用ピクチャーは、上書き開始位置であるＰ５のピクチャーから開始の編集点Ｘ０までの中で、最初に再生されるピクチャーであるＢ３と決定される。
【００５５】
次に、マイクロコンピュータブロック３０は、上記ステップＳ３で決定した上書き用ピクチャーを用いて、Ｐ５〜ＶＯＢＵ＿５の最終フレームまでの置換えを実行する（ステップＳ４）。
【００５６】
具体的には、図５（ａ）において、Ｐ５のピクチャーが上書き開始位置であり、Ｂ３が上書き用ピクチャーであるとすると、Ｐ５〜Ｂ７のピクチャーをＢ３のピクチャーが再生されるように画像を置き換える。
【００５７】
ここで、Ｐ５のピクチャーは、Ｉ２のリファレンスピクチャーを参照してその差分がＰ５のピクチャーとして作成されているものである。従って、マイクロコンピュータブロック３０によりＩ２とＢ３の画像データを比較し、その差分を新たなＰ’５として作成する。そして、Ｐ５の位置を新たなＰ’５のピクチャーに置き換える。このようにすることで、Ｐ’５は、その再生時には上書きピクチャーである元々のＢ３が再生されていた画像と同じ画像が再生されることとなる。
【００５８】
同様に、Ｂ３のピクチャーはＰ５とＩ２のピクチャーを参照して再生されるものであるから、マイクロコンピュータブロック３０は、これらの画像と上書きピクチャーであるＢ３との差分を計算し、新たなピクチャーＢ’３を作成して、これをＢ３の位置に置き換える。
【００５９】
同様に、Ｂ４のピクチャーはＰ５とＩ２のピクチャーを参照して再生されるものであるから、これらを参照してＢ４と同じピクチャーが再生されるように新たなピクチャーＢ’４を作成して、これをＢ４の位置に置き換える。
【００６０】
以下、リファレンスピクチャー単位（３フレーム単位）毎に上記方法と同じ方法を用いてピクチャーを置き換え、当該ＶＯＢＵは、図５（ｂ）のように書き換わることとなる。
【００６１】
これをＶＯＢＵ単位でみると、図７のようになる。図５（ａ）において、Ｉ２〜Ｂ７が図７（ａ）でいうＶＯＢＵ＿３であるとすると、図５（ａ）は、Ｐ５以降が元々のＢ３と同じ画像が再生されるようにＰ’５、Ｂ’３と次々上書き用ピクチャーに置き換えられ、図５（ｂ）のようになる。従って、図７（ａ）の点Ｘ０（開始の編集点）から図７（ｂ）のように上書き用ピクチャーで置き換えられ、最終的に、ＶＯＢＵ＿５の最後の画像までＢ３と同様の画像が再生されるように画像が置き換えられることとなる。
【００６２】
ここで、ＶＯＢＵ単位でデータを削除することは、従来の編集装置で行える作業である為、図７（ａ）において、始めに、ＶＯＢＵ＿４を完全に削除することは可能であり、更にその後に本発明を利用すれば、結果として、図７（ｃ）に示すように不要な部分を削除し、かつ番組と番組の間をＢＯＢＵ＿３にある上書き用ピクチャーと同じ画像が再生されるように置き換えられることとなる。
【００６３】
上記手段をとることで、不要な部分は極力短くし、かつ、残った部分は上書き用データが存在するため、その部分を連続しても、番組と番組の間でも違和感を覚えることなく見ることが可能となる。
【００６４】
次に、マイクロコンピュータブロック３０は、キー入力部１１を通じて、ＶＲフォーマットからＶｉｄｅｏフォーマットへの変換要求があったかどうかを確認する（ステップＳ５）。即ち、フォーマット変換の確定入力があったかどうかをチェックする。
【００６５】
その結果、変換要求がない場合は（ステップＳ５のＮｏ）、そのまま終了する。
一方、変換要求がある場合は（ステップＳ５のＹｅｓ）、エンコーダ部５０において、ＤＶＤ−ＶＲからＤＶＤ−Ｖｉｄｅｏへのフォーマット変換が行われる（ステップＳ６）。そして、変換されたデータは、データプロセッサ３６を介して、ディスクドライブ３５を使用して光ディスク１０へ記録される。尚、ＶＲフォーマットからＤＶＤ−Ｖｉｄｅｏフォーマットへの変換の詳細については、例えば特開２００３−１０１９２７号公報に紹介されているので、その説明は省略する。
【００６６】
以上のような編集装置、及び編集方法にすることで以下の効果がある。即ち、編集されたデータを再生する際、番組と番組の間にあったＣＭ（広告）のような全く異なった画像をユーザがみることがなくなり、従来、コンマ数秒ではあるものの、その画像を見ることによる不完全な編集と感じていた部分を解消することが可能となる。
【００６７】
尚、本発明の実施の形態の変形例として、上述した上書き用ピクチャーは、図５の例で示したＢ３のピクチャーに限られる必要はなく、Ｂ３の直前に再生される画像（即ち、ここではＩ２のピクチャー）であってもよい。また、ＣＭ等のように極端に画像が変わることを避けることが目的であるから、人間が視覚的に違和感を覚えない画像（例えば、黒や白の画像のように、単一の色の画像）を上書き用ピクチャーとして用いても良い。更に、録画したＭＰＥＧプログラムストリームの中からいくつかの上書き用ピクチャーの候補を表示装置に表示させ、その中から１つをユーザに任意に選択させ、これを上書き用ピクチャーとして用いても良い。
【００６８】
【発明の効果】
本発明によれは、番組と番組の間の不要データの領域の上に上書き用ピクチャーを書き込むことにより、違和感のない連続した画像を再生することが可能となる。
【図面の簡単な説明】
【図１】本発明の実施の形態に係る編集装置の構成を示すブロック図。
【図２】ＤＶＤのＶＲフォーマットのビデオ及びオーディオファイルのディレクトリ構造を示す図。
【図３】ムービービデオファイル及びスチルピクチャービデオファイルのファイル構造を示す図。
【図４】ＧＯＰを説明するための図。
【図５】ピクチャーの構成と編集点を示す図。
【図６】本発明の実施の形態に係る編集方法を示すフローチャート。
【図７】ストリームデータの変換の前後を示す図。
【符号の説明】
１  編集装置
１０  光ディスク
１１  キー入力部
２０  ハードディスクドライブ（ＨＤＤ）
３０  マイクロコンピュータブロック
３５  ディスクドライブ
３６  データプロセッサ
３７  一時記憶部
３８  ＳＴＣ
４２  Ａ／Ｖ入力部
４４  ＴＶチューナ
４８  表示部
５０  エンコーダ部
５２  ＡＤＣ
５３  Ｖ，Ａ，ＳＰエンコーダ群
５６  フォーマッタ
５７  バッファメモリ
６０  デコーダ部
６２  セパレータ
６３  メモリ
６４  Ｖ，Ａ，ＳＰデコーダ群
６６  ビデオ・プロセッサ
７１  ビデオミクサー
７３  Ｉ／Ｆ
７４  ＤＡＣ
７５  Ｉ／Ｆ
７６  セレクタ
７７  ＤＡＣ
【図１】
2005020529.tif 000003
【図２】
2005020529.tif 000004
【図３】
2005020529.tif 000005
【図４】
2005020529.tif 000006
【図５】
2005020529.tif 000007
【図６】
2005020529.tif 000008
【図７】
2005020529.tif 000009